(57)【要約】【課題】組み付けが容易であり、且つ液体の吐出性が優れるトリガー式スプレイヤーを提供する。【解決手段】容器Ｘに取り付け可能なキャップ部２と、該キャップ部に係合され、液体が流通可能な第１流路Ｒ１を有する本体部１と、該第１流路に連通する円筒状のシリンダ部３と、該シリンダ部内に収容され、第１流路から該シリンダ部３内に通じる液体の流路を開閉するＦバルブ７ａと、シリンダ部内をスライド可能であり、内部に液体が流通可能な第２流路Ｒ２を有するピストン部１３と、該ピストン部を前後にスライドさせるトリガー部４と、ピストン部内に収容され、シリンダ部３内から第２流路に通じる液体の流路を開閉するＳバルブ７ｂと、該Ｓバルブにバネ部６を介して連結されたスピンナー部１４と、該スピンナー部が取り付けられるノズル部１５と、本体部１をカバーするカバー部９と、を備え、シリンダ部３、Ｆバルブ、ピストン部１３、Ｓバルブ、スピンナー部１４及びノズル部１５が直線状に配列されているトリガー式スプレイヤー１００である。【選択図】図１
2013112365.tif 000002
【特許請求の範囲】
【請求項１】
容器に取り付け可能なキャップ部と、
該キャップ部に係合され、液体が流通可能な第１流路を有する本体部と、
該第１流路に連通する円筒状のシリンダ部と、
該シリンダ部内に収容され、前記第１流路から該シリンダ部内に通じる前記液体の流路を開閉するＦバルブと、
前記シリンダ部内をスライド可能であり、内部に前記液体が流通可能な第２流路を有するピストン部と、
該ピストン部を前後にスライドさせるトリガー部と、
前記ピストン部内に収容され、前記シリンダ部内から前記第２流路に通じる前記液体の流路を開閉するＳバルブと、
該Ｓバルブにバネ部を介して連結されたスピンナー部と、
該スピンナー部が取り付けられるノズル部と、
前記本体部をカバーするカバー部と、
を備え、
前記シリンダ部、前記Ｆバルブ、前記ピストン部、前記Ｓバルブ、前記スピンナー部及び前記ノズル部が直線状に配列されているトリガー式スプレイヤー。
【請求項２】
前記シリンダ部が、前記第１流路及び前記第２流路よりも径大となっており、内部に液体が貯蓄されるようになっている請求項１記載のトリガー式スプレイヤー。
【請求項３】
前記トリガー部が回動可能となるように前記本体部に枢着されている請求項１又は２に記載のトリガー式スプレイヤー。
【請求項４】
前記本体部と、前記シリンダ部とが一体となっている請求項１〜３のいずれか１項に記載のトリガー式スプレイヤー。
【請求項５】
前記Ｓバルブと、前記バネ部と、前記スピンナー部とが一体となっている請求項１〜４のいずれか１項に記載のトリガー式スプレイヤー。
【請求項６】
前記カバー部が前記本体部に係合されており、後方に突出した突出部を備える請求項１〜５のいずれか１項に記載のトリガー式スプレイヤー。
【発明の詳細な説明】
【技術分野】
【０００１】
本発明は、トリガー式スプレイヤーに関し、より詳しくは、組み付けが容易であり、且つ液体の吐出性が優れるトリガー式スプレイヤーに関する。
【背景技術】
【０００２】
容器に収容された液体を所望の位置に吹き付ける装置として従来、トリガー式スプレイヤーが知られている。
トリガー式スプレイヤーは、トリガーを回動することによって、内蔵されたポンプを加圧、減圧させ、その圧力変化を利用して液体を吐出させる装置であり、近年、蓄圧式のものも含めて多くのタイプが開発されている（例えば、特許文献１参照）。
【０００３】
ところで、トリガー式スプレイヤーは、一般に部品点数が多いので、組み付けに手間がかかるという欠点がある。
それに対し、有頂筒状の装着基部と、縦筒と、射出筒と、シリンダとを一体に形成した蓄圧式のトリガー式液体噴出器が知られている（例えば、特許文献２参照）。かかるトリガー式液体噴出器によれば、有頂筒状の装着基部と、縦筒と、射出筒と、シリンダとが一体となっているので、比較的組付けが容易となる。
【先行技術文献】
【特許文献】
【０００４】
【特許文献１】特開２００９−１６０５７３号公報
【特許文献２】特開２００９−６２８８号公報
【発明の概要】
【発明が解決しようとする課題】
【０００５】
しかしながら、上記特許文献２記載のトリガー式スプレイヤーは、シリンダが、射出筒と縦筒とのコーナー部分より斜め下方前方に突設されているので、必ずしも組み付けが容易とはいえない。
【０００６】
また、上記特許文献１及び２に記載のトリガー式スプレイヤーを含む従来のトリガー式スプレイヤーは、一般に、ポンプが液体を加圧、減圧する方向と、液体を吐出する方向が異なっている。すなわち、ポンプ内で圧縮された液体は、上方に流通した後、屈曲して水平方向に流通し、吐出されている。このため、屈曲することにより流路壁面との摩擦が大きくなり、液体の吐出の勢い（以下「吐出性」という。）に悪影響を及ぼす傾向がある。
【０００７】
本発明は上記事情に鑑みてなされたものであり、組み付けが容易であり、且つ液体の吐出性が優れるトリガー式スプレイヤーを提供することを目的とする。
【課題を解決するための手段】
【０００８】
本発明者は、上記課題を解決するため鋭意検討したところ、Ｆバルブ（ファーストバルブ）、ピストン部、Ｓバルブ（セカンドバルブ）、バネ部（バルブスプリング）、スピンナー部及びノズル部に加え、シリンダ部も直線状に配列することにより、上記課題を解決し得ることを見出し、本発明を完成するに至った。
【０００９】
本発明は、（１）容器に取り付け可能なキャップ部と、該キャップ部に係合され、液体が流通可能な第１流路を有する本体部と、該第１流路に連通する円筒状のシリンダ部と、該シリンダ部内に収容され、第１流路から該シリンダ部内に通じる液体の流路を開閉するＦバルブと、シリンダ部内をスライド可能であり、内部に液体が流通可能な第２流路を有するピストン部と、該ピストン部を前後にスライドさせるトリガー部と、ピストン部内に収容され、シリンダ部内から第２流路に通じる液体の流路を開閉するＳバルブと、該Ｓバルブにバネ部を介して連結されたスピンナー部と、該スピンナー部が取り付けられるノズル部と、本体部をカバーするカバー部と、を備え、シリンダ部、Ｆバルブ、ピストン部、Ｓバルブ、スピンナー部及びノズル部が直線状に配列されているトリガー式スプレイヤーに存する。
【００１０】
本発明は、（２）シリンダ部が、第１流路及び第２流路よりも径大となっており、内部に液体が貯蓄されるようになっている上記（１）記載のトリガー式スプレイヤーに存する。
【００１１】
本発明は、（３）トリガー部が回動可能となるように本体部に枢着されている上記（１）又は（２）に記載のトリガー式スプレイヤーに存する。
【００１２】
本発明は、（４）本体部と、シリンダ部とが一体となっている上記（１）〜（３）のいずれか１つに記載のトリガー式スプレイヤーに存する。
【００１３】
本発明は、（５）Ｓバルブと、バネ部と、スピンナー部とが一体となっている上記（１）〜（４）のいずれか１つに記載のトリガー式スプレイヤーに存する。
【００１４】
本発明は、（６）カバー部が本体部に係合されており、後方に突出した突出部を備える上記（１）〜（５）のいずれか１つに記載のトリガー式スプレイヤー。
【発明の効果】
【００１５】
本発明のトリガー式スプレイヤーにおいては、シリンダ部、Ｆバルブ、ピストン部、Ｓバルブ、バネ部、スピンナー部及びノズル部が直線状に配列されているので、組み付けが容易となる。
また、シリンダ部で液体を加圧、減圧する方向と、液体を吐出する方向が同じになっているので、シリンダ部内で圧縮された液体は、流通の勢いが減衰されることなくノズル部から吐出される。このため、上記トリガー式スプレイヤーは、液体の吐出性が優れるものとなる。
【００１６】
本発明のトリガー式スプレイヤーにおいては、シリンダ部が、第１流路及び第２流路よりも径大となっており、内部に液体が貯蓄されるようになっていると、十分な量の液体を貯蓄できるので、十分な量の液体を吐出することが可能となる。
【００１７】
本発明のトリガー式スプレイヤーにおいては、トリガー部が回動可能となるように本体部に枢着されている場合、構造がシンプルとなる。
また、該トリガー部の回動に応じてピストン部が前後にスライドするので、液体を吐出させる操作が極めて容易となる。
【００１８】
本発明のトリガー式スプレイヤーにおいては、本体部と、シリンダ部とが一体となっている場合、部品点数が減るので、組み付けがより容易となる。
これに加え、Ｓバルブと、バネ部と、スピンナー部とが一体となっている場合、組み付けがより一層容易となる。
【００１９】
本発明のトリガー式スプレイヤーにおいては、カバー部が本体部に係合されている場合、装着が容易であると共に、カバー部により本体部が保護される。
また、カバー部が後方に突出した突出部を備える場合、該突出部に手を引っ掛けることにより、トリガー式スプレイヤーを把持しやすく、且つトリガー部を手前に引きやすい。
【図面の簡単な説明】
【００２０】
【図１】図１は、本発明に係るトリガー式スプレイヤーの一実施形態を示す断面図である。
【図２】図２は、本実施形態に係るトリガー式スプレイヤーの第１部材を示す断面図である。
【図３】図３は、本実施形態に係るトリガー式スプレイヤーのピストン部を示す断面図である。
【図４】図４は、本実施形態に係るトリガー式スプレイヤーの第２部材を示す概略図である。
【図５】図５の（ａ）は、本実施形態に係るトリガー式スプレイヤーのカバー部の正面図であり、（ｂ）は、（ａ）のＴ−Ｔ線で切断した断面図である。
【図６】図６は、本実施形態に係るトリガー式スプレイヤーの組み付け方法の一部を示す概略図である。
【図７】図７は、本実施形態に係るトリガー式スプレイヤーを示す斜視図である。
【図８】図８は、本実施形態に係るトリガー式スプレイヤーのトリガー部を引いた後の状態を示す断面図である。
【発明を実施するための形態】
【００２１】
以下、必要に応じて図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００２２】
図１は、本発明に係るトリガー式スプレイヤーの一実施形態を示す断面図である。
図１に示すように、本実施形態に係るトリガー式スプレイヤー１００は、容器Ｘに取り付け可能なキャップ部２と、該キャップ部２に係合され、液体が流通可能な第１流路Ｒ１を有する本体部１と、該第１流路Ｒ１に嵌入されたチューブ部８と、前記第１流路Ｒ１に連通する円筒状のシリンダ部３と、該シリンダ部３内に収容され、第１流路Ｒ１から該シリンダ部３内に通じる液体の流路を開閉するＦバルブ７ａと、シリンダ部３内をスライド可能であり、内部に液体が流通可能な第２流路Ｒ２を有するピストン部１３と、該ピストン部１３を前後にスライドさせるトリガー部４と、ピストン部１３内に収容され、シリンダ部３内から第２流路Ｒ２に通じる液体の流路を開閉するＳバルブ７ｂと、該Ｓバルブ７ｂにバネ部６を介して連結されたスピンナー部１４と、該スピンナー部１４が取り付けられるノズル部１５と、本体部１をカバーするカバー部９と、を備える。
【００２３】
本実施形態に係るトリガー式スプレイヤー１００においては、Ｆバルブ７ａ、シリンダ部３、ピストン部１３、Ｓバルブ７ｂ、バネ部６、スピンナー部１４及びノズル部１５が直線状に配列されている。このため、組み付けが極めて容易となる。
また、Ｆバルブ７ａ、ピストン部１３、Ｓバルブ７ｂ、バネ部６、スピンナー部１４及びノズル部１５に加え、シリンダ部３が更に直線状に配列されているので、シリンダ部３で液体を加圧、減圧する方向と、液体を吐出する方向が同じになる。このため、シリンダ部３内で圧縮された液体は、流路壁面から受ける摩擦が極力少なくなり、流通の勢いが減衰されることなくノズル部１５から吐出される。その結果、上記トリガー式スプレイヤー１００は、液体の吐出性が優れるものとなる。
【００２４】
本実施形態に係るトリガー式スプレイヤー１００は、本体部１、シリンダ部３及びトリガー部４が一体となった第１部材と、Ｓバルブ７ｂ、バネ部６及びスピンナー部１４が一体となった第２部材とを有する。すなわち、本実施形態に係るトリガー式スプレイヤー１００は、第１部材と、ピストン部１３と、第２部材と、Ｆバルブ７ａと、ノズル部１５と、カバー部９とからなる。これにより、トリガー式スプレイヤー１００は、部品点数を減らすことができるので、全体の組み付けがより容易となる。なお、第１部材、ピストン部１３、第２部材、Ｆバルブ７ａ、ノズル部１５及びカバー部９の材質は、いずれも、ＰＰ、ＰＥ等の合成樹脂であり、主として射出成形により製造される。
【００２５】
図２は、本実施形態に係るトリガー式スプレイヤーの第１部材を示す断面図である。
図２に示すように、第１部材５０は、本体部１とシリンダ部３とが一体となっており、トリガー部４が回動可能となるように本体部１に枢着されている。
【００２６】
本体部１は、内部に液体が流通可能な第１流路Ｒ１を有している。
そして、該第１流路Ｒ１は、上端が前方に設けられたシリンダ部３に連通している。すなわち、第１流路Ｒ１から流入した液体は、第１流路Ｒ１の上端を通り、シリンダ部３内に流入し、貯蓄されるようになっている。このとき、シリンダ部３は、十分な量の液体が貯蓄可能となるように第１流路Ｒ１及び後述する第２流路Ｒ２よりも径大となっている。なお、トリガー式スプレイヤー１００において、液体は、一旦、シリンダ部３内に貯蓄されるので、第１流路Ｒ１で流路壁面から摩擦を受けたとしても、液体の吐出は影響されない。
【００２７】
また、本体部１においては、第１流路Ｒ１に平行するように空路Ｓ１が設けられており、該空路Ｓ１に連通する補助シリンダ部３ａがシリンダ部３に並設されている。なお、かかる空路Ｓ１及び補助シリンダ部３ａの詳細については、後述する。
【００２８】
本体部１は、下端に第１係合部１ｂが設けられており、第１係合部１ｂの上方に第２係合部１ｃが設けられている。
そして、本体部１は、第１係合部１ｂをキャップ部２で押さえ付けることで容器Ｘの口部に容易に取り付けることができる。すなわち、第１係合部１ｂを介してキャップ部２に係合可能となっており、また、第２係合部１ｃを介してカバー部９に係合可能となっている（図１参照）。
【００２９】
キャップ部２は、容器Ｘの口部に着脱可能となっている。すなわち、トリガー式スプレイヤー１００は、キャップ部２を介して、市販の容器Ｘに対して着脱可能となっている。なお、容器Ｘは、その口部にトリガー式スプレイヤー１００のキャップ部２が取り付け可能であれば、形状を問わない。なお、カバー部９の詳細については、後述する。
【００３０】
本実施形態に係るトリガー式スプレイヤー１００においては、本体部１の第１流路Ｒ１にチューブ部８が嵌入されている（図１参照）。
トリガー式スプレイヤー１００においては、チューブ部８の先端が容器Ｘ内の液体中に浸漬されており（図示しない）、該チューブ部８から容器Ｘ内の液体が本体部１の第１流路Ｒ１に導入されるようになっている。
【００３１】
トリガー部４は、回動可能となるように本体部の枢着部１ａに枢着されている。このため、構造がシンプルである。
また、トリガー部４の回動に応じてピストン部１３が前後にスライドするので、液体を吐出させる操作が極めて容易となる。
【００３２】
トリガー部４は、板状の弾性板４ａを備えており、トリガー部４を矢印Ａ方向（図２参照）に回動させて閉じることにより、該弾性板４ａが本体部に当接されるようになっている。
そして、トリガー部４を閉じた状態でトリガー部４を手前に引くと、弾性板４ａは屈曲され、トリガー部４を手前に引いた状態から開放すると、屈曲した弾性板４ａの復帰力によって、トリガー部４が元の位置に戻るようになっている。
【００３３】
本体部１において、シリンダ部３には、第１流路Ｒ１からシリンダ部３内への液体の流路を開閉するＦバルブ７ａが内設されている（図１参照）。これにより、容器Ｘ内の液体がシリンダ部３内へ導入される際には、Ｆバルブ７ａが流路を開き、ノズル部１５から液体が吐出される場合には、Ｆバルブ７ａが流路を閉じるようになっている。
【００３４】
図３は、本実施形態に係るトリガー式スプレイヤーのピストン部を示す断面図である。
図３に示すように、ピストン部１３は、螺合部２３ａと、該螺合部２３ａに連続する中腹部２３ｂと、該中腹部２３ｂに連続し、螺合部２３ａ及び中腹部２３ｂよりも径が大きくなった鍔部２３ｃとからなる。
また、ピストン部１３は、内部に液体が流通可能な第２流路Ｒ２を有している。
【００３５】
ピストン部１３において、鍔部２３ｃは、シリンダ部３の内面に当接されている。これにより、ピストン部１３をスライドさせると、鍔部２３ｃがシリンダ部３の内面を摺動し、シリンダ部３内の液体が加圧又は減圧されることになる。
例えば、シリンダ部３内の液体が加圧された場合、蓄圧された液体がピストン部１３内の第２流路Ｒ２に流入することになる。
【００３６】
ピストン部１３は、中腹部２３ｂに枝分かれした補助ピストン部１３ａを有している。かかる補助ピストン部１３ａは、上述した補助シリンダ部３ａ内をスライドするようになっている。
また、補助シリンダ部３ａ内は、空路Ｓ１を介して容器内部に通じている。そして、補助ピストン部１３ａがスライドすることによって、補助シリンダ部３ａに形成された図示しない負圧穴の開閉が行われ、容器内の負圧が解消される。
【００３７】
ピストン部１３は、螺合部２３ａにノズル部１５が取り付けられる。このとき、ノズル部１５は、ノズル口部１５ａが後述するスピンナー部１４に当接するように、ピストン部１３の螺合部２３ａに螺合される（図１参照）。なお、ノズル部１５には、スピンナー部１４から吐出される液体を、例えば泡状にするフラップが設けられていてもよい。
【００３８】
図４は、本実施形態に係るトリガー式スプレイヤーの第２部材を示す概略図である。
図４に示すように、第２部材６０は、Ｓバルブ７ｂ、バネ部６及びスピンナー部１４が直線状に一体となっており、上述したピストン部１３の第２流路Ｒ２に挿入することにより配置される。
【００３９】
第２部材６０において、スピンナー部１４は、ピストン部１３内に固定されており、Ｓバルブ７ｂは、バネ部６によって一方（右方）に付勢されている。
そして、例えば、トリガー部４を指で手前に引くことにより、ピストン部１３がスライドされ、シリンダ部３内の液体が一定の圧力まで加圧されると、バネ部６が収縮することでＳバルブ７ｂとピストン部１３との間が開き、反対にトリガー部４が指から開放されてシリンダ部３内の液体が減圧されると、バネ部６の復帰力によりＳバルブ７ｂとピストン部１３との間が閉じるようになっている。すなわち、Ｓバルブ７ｂは、ピストン部１３内の第２流路Ｒ２を塞ぐ弁の働きをする。これにより、トリガー式スプレイヤー１００においては、Ｓバルブ７ｂによって液体の流通が確実に遮断されるので、液垂れを防止することができる。
【００４０】
図５の（ａ）は、本実施形態に係るトリガー式スプレイヤーのカバー部の正面図であり、（ｂ）は、（ａ）のＴ−Ｔ線で切断した断面図である。
図５の（ａ）に示すように、カバー部９は、内部が中空であり、第１部材５０を収容できるようになっている。
また、図５の（ｂ）に示すように、カバー部９には、内側に被係合部９ａが設けられており、後方に突出した突出部９ｂが設けられている。
【００４１】
カバー部９は、上述した本体部１に設けられた第２係合部１ｃに、被係合物９ａが係合されることにより、本体部１に取り付けられる。
トリガー式スプレイヤー１００においては、カバー部９の装着が容易であり、しかも、カバー部９を備えることにより、本体部１が確実に保護されることになる。
【００４２】
トリガー式スプレイヤー１００は、カバー部９が、後方に突出した突出部９ｂを備えるので、該突出部９ｂに手を引っ掛けることにより、トリガー式スプレイヤー１００を把持しやすくなる。
また、トリガー式スプレイヤー１００を把持した状態からトリガー部４を手前に引きやすいという利点もある。
【００４３】
次に、本実施形態に係るトリガー式スプレイヤー１００の組み付け方法について説明する。
図６は、本実施形態に係るトリガー式スプレイヤーの組み付け方法の一部を示す概略図である。
図６に示すように、本実施形態に係るトリガー式スプレイヤー１００の組み付け方法においては、まず、第１部材５０のシリンダ部３にＦバルブ７ａを挿入する。
【００４４】
次いで、ピストン部１３の第２流路Ｒ２に第２部材６０を挿入し、これを第１部材５０の空隙部５０ａに挿入する。このとき、トリガー部４に設けられた引っ掛け部５０ｂが、ピストン部１３の両側に設けられた図示しない凸部に引っ掛けられることで、ピストン部１３がトリガー部４に対して位置決めされる。なお、これにより、トリガー部４の回動に基づいて、ピストン部３が前後のスライドするようになる。
【００４５】
そして、第１部材５０のトリガー部４を回動させて閉じることにより、ピストン部１３が、シリンダ部３に圧入される。このとき、ピストン部１３の鍔部２３ｃがシリンダ部３内をスライドし、補助ピストン部１３ａが補助シリンダ部３ａン内をスライドするように取り付ける。これにより、ピストン部１３は、第１部材５０に組み込まれる。
【００４６】
そして、ピストン部１３の螺合部２３ａにノズル部１５が取り付けられる。
【００４７】
その後、キャップ部２及びカバー部９を本体部１に係合し、キャップ部２に容器Ｘを取り付けることにより、図７に示すトリガー式スプレイヤー１００が得られる。
【００４８】
このように、上記トリガー式スプレイヤー１００の組み付け方法においては、シリンダ部３、Ｆバルブ７ａ、ピストン部１３、Ｓバルブ７ｂ、スピンナー部１４及びノズル部１５が直線状に配列されているので、組み付けが極めて容易となる。
また、組み付け時に、トリガー部４を回動させながらシリンダ部３にピストン部１３を圧入するだけで、容易に各部の組み付けを行うことができる。
【００４９】
次に、本実施形態に係るトリガー式スプレイヤー１００の作用について説明する。
図８は、本実施形態に係るトリガー式スプレイヤーのトリガー部を引いた後の状態を示す断面図である。
図８に示すように、本実施形態に係るトリガー式スプレイヤー１００においては、トリガー部４を手前に引くことにより、補助ピストン部１３ａと共にピストン部１３が右方にスライドする。
【００５０】
そして、ピストン部１３がスライドすると、シリンダ部３内の液体が加圧され、液体に一定の圧力になると、Ｓバルブ７ｂが開き、液体がシリンダ部３から第２流路Ｒ２を流通してスピンナー部１４及びノズル部１５を介して左方の外部に吐出されるようになっている。このように、トリガー式スプレイヤー１００においては、シリンダ部３で液体を加圧、減圧する方向と、液体を吐出する方向が同じになっている。
【００５１】
そして、液体が吐出されると、シリンダ部３内の液体が徐々に減圧され、その後、液体の吐出が停止する。
【００５２】
液体の吐出後、トリガー部４を手前に引いた状態から開放すると、本体部１に屈曲された状態で当接された弾性板４ａの復帰力によって、トリガー部４が元の位置に戻ると共に、ピストン部１３が左方にスライドする。
ピストン部１３がスライドすると、シリンダ部３内の空間が負圧となるので、負圧を解消するためにＦバルブ７ａが流路を開き、容器Ｘ内の液体がチューブ部８を通って吸上げられ、シリンダ部３内に液体が充填されることになる。
【００５３】
トリガー式スプレイヤー１００においては、このような操作が繰り返されることにより、一定量の液体が、ノズル部１５から繰り返して吐出されることになる。このように、上記トリガー式スプレイヤー１００は、簡単な構造でありながら、効率良く液体の吐出が行われる。
【００５４】
以上、本発明の好適な実施形態について説明したが、本発明は上記実施形態に限定されるものではない。
【００５５】
例えば、本実施形態に係るトリガー式スプレイヤー１００は、本体部１、シリンダ部３及びトリガー部４が一体となった第１部材を有しているが、本体部、シリンダ部及びトリガー部は、それぞれ別体であってもよい。
同様に、トリガー式スプレイヤー１００は、Ｓバルブ７ｂ、バネ部６及びスピンナー部１４が一体となった第２部材を有しているが、Ｓバルブ、バネ部及びスピンナー部は、それぞれ別体であってもよい。
また、Ｆバルブ７ａ及び／又はカバー部９が本体部１と一体となっていてもよい。
【００５６】
本実施形態に係るトリガー式スプレイヤー１００において、トリガー部４の復帰力を与える弾性板４ａは、板状となっているが、コイル状、蛇行状、バネ座金状等であってもよく、また、別体とすることも可能である。
【００５７】
本実施形態に係るトリガー式スプレイヤー１００において、第２部材６０のバネ部６は、蛇行状となっているが、コイル状、板状、バネ座金状等であってもよい。
【００５８】
本実施形態に係るトリガー式スプレイヤー１００においては、カバー部９が、後方に突出した突出部９ｂを備えているが、必ずしも備える必要はない。
【産業上の利用可能性】
【００５９】
本発明のトリガー式スプレイヤーは、トリガーを引くことにより、容器内の液を吐出する装置として好適に用いられる。本発明のトリガー式スプレイヤーによれば、組み付けが容易であり、且つ液体の吐出性が優れる。
【符号の説明】
【００６０】
１・・・本体部
１ａ・・・枢着部
１ｂ・・・第１係合部
１ｃ・・・第２係合部
２・・・キャップ部
３・・・シリンダ部
３ａ・・・補助シリンダ部
４・・・トリガー部
４ａ・・・弾性板
６・・・バネ部
７ａ・・・Ｆバルブ
７ｂ・・・Ｓバルブ
８・・・チューブ部
９・・・カバー部
９ａ・・・被係合部
９ｂ・・・突出部
１３・・・ピストン部
１３ａ・・・補助ピストン部
１４・・・スピンナー部
１５・・・ノズル部
１５ａ・・・ノズル口部
２３ａ・・・螺合部
２３ｂ・・・中腹部
２３ｃ・・・鍔部
５０・・・第１部材
６０・・・第２部材
１００・・・トリガー式スプレイヤー
Ｒ１・・・第１流路
Ｒ２・・・第２流路
Ｓ１・・・空路
Ｘ・・・容器
【図１】
2013112365.tif 000003
【図２】
2013112365.tif 000004
【図３】
2013112365.tif 000005
【図４】
2013112365.tif 000006
【図５】
2013112365.tif 000007
【図６】
2013112365.tif 000008
【図７】
2013112365.tif 000009
【図８】
2013112365.tif 000010